(57)【要約】【課題】走行機体に着脱可能に取り付けたバリカン型カッタにおいて、該バリカン型カッタを走行機体に装着していない状態での、バリカン型カッタの取り扱いが容易な刈刃構造を得る。【解決手段】立毛穀稈の株元を切断するよう走行機体に着脱可能に取り付けられたバリカン型カッタにおいて、該バリカン型カッタを走行機体に装着していない状態で、バリカン型カッタの上下刈刃が相対的にスライド移動しないように規制する規制手段を設けたことを特徴とする刈刃構造。【選択図】        図３
2005000038.tif 000002
【特許請求の範囲】
【請求項１】
立毛穀稈の株元を切断するよう走行機体に着脱可能に取り付けられたバリカン型カッタにおいて、該バリカン型カッタを走行機体に装着していない状態で、バリカン型カッタの上下刈刃が相対的にスライド移動しないように規制する規制手段を設けたことを特徴とする刈刃構造。
【発明の詳細な説明】
【０００１】
【発明の属する技術分野】
本発明は、バインダやコンバイン等の走行機体に設けたバリカン型カッタにおける刈刃構造に関する。
【０００２】
【従来の技術】
従来、この種のバリカン型カッタにおいては、下刈刃上に上刈刃を設けて、上下の両刈刃又は一方の刈刃のみを左右方向に往復摺動させて圃場上の立毛穀稈を両刈刃で刈取るように構成しているが、上記バリカン型カッタを機体に装着していない状態で、刈刃のスライド移動を規制する手段は設けていない（例えば、特許文献１参照）。
【０００３】
【特許文献１】
特開平１０−２１０８３５号公報（図３，４）
【０００４】
【発明が解決しようとする課題】
従って、バリカン型カッタを機体に装着していない状態で持ち運ぶ際に、上下の刈刃が相対的にスライド移動して持ち運びがしづらいという不具合があった。
本発明の目的は、上記従来の不具合を改善する点にある。
【０００５】
【課題を解決するための手段】
上記目的を達成するため、本発明においては、立毛穀稈の株元を切断するよう走行機体に着脱可能に取り付けられたバリカン型カッタにおいて、該バリカン型カッタを走行機体に装着していない状態で、バリカン型カッタの上下刈刃が相対的にスライド移動しないように規制する規制手段を設けたことを特徴とする。
【０００６】
【発明の実施の形態】
本発明の実施の形態について、以下図面の例に基づいて説明する。
図１は、本発明を実施した刈取結束機の一部切欠全体斜視図であり、１は刈取結束機の走行機体であって、通常の刈取結束機と同様に、その前方には引起装置として圃場の立毛穀稈を複数の梳上爪２・・・にて梳起す一対の引起ガイド３と案内ガイド４とが設けられ、両者の下部先端側には立毛穀稈を各条毎に区分けするディバイダ５，５が装着されている。
そして、走行機体１の下方には穀稈の株元部を刈取る後述のバリカン型カッタ６が設けられており、刈取られた穀稈は、後方の搬送カバー７に凭れながら、右側へ横搬送されて一側に設けた穀稈集束部に集められ、結束装置８にて１束毎に結束されて、走行機体１の右側方に整然と放出されるようになっている。
なお、走行機体１の前方下部にはオートクラッチ９、下方には走行車輪１０、側方にはナローガイド１１、後方にはハンドル１２及びエンジン１３等が装着されているものである。
【０００７】
また、図２は要部の斜視図であり、横幅方向の下刈刃である固定刈刃１４の上方に同じく横幅方向に上刈刃であるスライド刈刃１５が前記固定刈刃１４に対して相対的に左右方向に摺動自在となるように装着され、その上部をスライド刈刃１５が浮き上がって切れ味の低下を招くのを防止するために複数の刃押さえ１６・・があって押さえつけていると共に、その中間部には、ナイフヘッド１７が上記スライド刈刃１５に一体的に装着されている〔後述図３（ｂ）  参照〕。
そして、上記ナイフヘッド１７の後部に設けた長孔状の孔部１８に回転軸１９の先端部１９ａが挿入されて、上記回転軸１９が図の矢印方向に連続回転することによりその先端部１９ａが孔部１８内を移動して、上刈刃１５を左右方向に往復移動させることにより、上記スライド刈刃１５が矢印Ａ方向へ往復摺動するものである。
ここで、２０，２０は分草枠であって、該分草枠２０，２０に溶着された左右の取付プレート２１，２１の切欠孔２２，２２を挿通して、上記固定刈刃１４及び刃押さえ１６・・等をボルト２３・・・とナット２４・・・とで共締めすることにより、走行機体１にバリカン型カッタ６を装着するようになっている。
【０００８】
次に、図３はバリカン型カッタ６を示し、（ａ）は全体平面図、（ｂ）は側面図、（ｃ）は図３（ａ）のＡ−Ａ断面図、（ｄ）は同上図３（ａ）のＢ−Ｂ断面図を夫々示す。
即ち、上記固定刈刃１４は、平面視では見えていないが、これより稍小型で同形状の支持部材１４ａ〔図３（ｂ）〜（ｄ）参照〕に前方側が複数のリベット２６・・・にて、該固定刈刃１４が過負荷等で早く磨耗したり変形を起さないように固着されている。
そして、その上方にあるスライド刈刃１５は、後方下部にある横方向に長いスライド片２７上に複数のリベット２８・・・で装着されるものであるが、中間部にある上記ナイフヘッド１７の前端側との装着は、図３（ｂ）に示されるように複数箇所を長いリベット２９・・・で一体的に装着される。
【０００９】
一方、上記刃押さえ１６・・は、ボルト２３・・・及びナット２４・・・にて複数枚のシム３０・・・を間に挟んで上記支持部材１４ａに装着されるものであるが、左右両端部においては、上記取付プレート２１・を挟んで装着されるものである〔図３（ｄ）参照〕。
また、上記支持部材１４ａ及びスライド片２７の一部には、それぞれネジ穴３２及び係止穴３３が設けてあり、スライド刈刃１５を動かしネジ穴３２と係止穴３３の穴位置を一致させた状態で上記支持部材１４ａの下方よりボルト３１をねじり込み、ボルト３１の先端を係止穴３３に入り込ませることで、ボルト３１と係止穴３３とで上記スライド刈刃１５が固定刈刃１４に対して相対的にスライド移動しないように規制するストッパー（規制手段）を構成している〔図３（ｃ）参照〕。
なお、本願の実施例は、バインダの場合について説明したが、これと略同様の刈刃構造であるコンバインの刈刃にも適用できるのは勿論であり、また、下刈刃を固定刈刃１４、上刈刃をスライド刈刃１５としたが、下刈刃もスライド状として、上下の両刈刃を相互に背反的に移動させたものでも良い。
【００１０】
更に、本願の刈刃構造の実施例のものは、バインダの走行機体１に組付ける前のバリカン型カッタ６を単体で取扱う際に、固定刈刃１４とスライド刈刃１５が相対的にスライド移動しないように規制してバリカン型カッタ６の持ち運びを容易にするものであるが、ボルト３１を組み付けたままでうっかりスライド刈刃１５を駆動したりすると機械が破損してしまうので、図３（ａ）に記載の如く、ネジ穴３２、及び係止穴３３の位置を、バリカン型カッタ６と取付プレート２１との組付け時の接触部分に設けると、走行機体１の本機にバリカン型カッタ６を組付ける際、ボルト３１の頭が邪魔して組付けができないので必ずボルト３１を外さねば走行機体１への組付けが出来ず、刈刃がロックして機械が破損するような事故を未然に防ぐことが出来る。
【００１１】
以上のように構成された本発明において、バインダの組立で走行機体１にバリカン型カッタ６を組付ける際、作業者はボルト３１と係止穴３３により両刈刃１４，１５の相対的なスライド移動が規制されたバリカン型カッタ６を、ボルト２３・・・とナット２４・・・とで取付プレート２１・に取付けた後、ボルト３１を抜けば良い。
また、上記の如くネジ穴３２、及び係止穴３３がバリカン型カッタ６と取付プレート２１の接触部分に設けてある時には、先にボルト３１を外してから機体１へ組付ければ良い。
【００１２】
更に、刈取結束作業を行う際に作業者は圃場内で走行機体１のエンジン１３を始動させて、変速レバーやクラッチレバー等を適宜操作して作業を行うが、この時は、エンジン１３の動力の伝達により回転軸１９の先端部１９ａがナイフヘッド１７を左右方向へ揺動することにより、スライド刈刃１５が矢印Ａ方向に往復摺動して、固定刈刃１４との間で立毛穀稈の株元部を切断して刈取作業を行うものであるが、これを長く使用している間に刈刃が磨耗して切れ味が低下したり、硬い夾雑物を噛み込んで破損したような場合に、バリカン型カッタ６を交換する必要が発生するが、このような時には、古いバリカン型カッタ６を取外した後、上記と同様にして走行機体１にバリカン型カッタ６を取付けた後、ボルト３１を抜けば良い。
そして、所要の作業を終えてから、作業を再開する。
なお、この時、上記の古いバリカン型カッタ６は、取外して持ち運びする際にそのままでは刈刃がスライドする場合があるので、事前にボルト３１を取付けて刈刃１４，１５が相対的にスライド移動しないよう規制した状態で作業することが好ましい。
【００１３】
従って、作業者は刈刃１４，１５のスライド移動が規制された状態でバリカン型カッタ６の走行機体１への取付け作業を行うことができるもので、従来の如くバリカン型カッタ６の取扱い時に上下の刈刃が相対的にスライド移動して持ち運びがしづらいという不具合がない。
更に、本願の実施例においては、上記ボルト３１を抜く際に工具を要するが、蝶ボルト等を採用することにより、工具なしで抜く事が可能となるものである。
【００１４】
【発明の効果】
要するに、本発明は、立毛穀稈の株元を切断するよう走行機体に着脱可能に取り付けられたバリカン型カッタにおいて、該バリカン型カッタを走行機体に装着していない状態で、バリカン型カッタの上下刈刃が相対的にスライド移動しないように規制する規制手段を設けたので、バリカン型カッタを機体に装着していない状態での持ち運びが容易になる。
【図面の簡単な説明】
【図１】刈取結束機の一部を切欠した全体斜視図である。
【図２】要部の斜視図である。
【図３】バリカン型カッタを示し、（ａ）は全体平面図、（ｂ）は側面図、（ｃ）は図３（ａ）のＡ−Ａ断面図、（ｄ）は同上図３（ａ）のＢ−Ｂ断面図である。
【符号の説明】
１  走行機体
６  バリカン型カッタ
１３  エンジン
１４  固定刈刃
１４ａ  支持部材
１５  スライド刈刃
１６  刃押え
１７  ナイフヘッド
２１  取付プレート
２２  切欠孔
２３，３１  ボルト
３２  ネジ穴
３３  係止穴
Ａ    矢印
【図１】
2005000038.tif 000003
【図２】
2005000038.tif 000004
【図３】
2005000038.tif 000005